(57)【要約】  【課題】  ホールダウン接合金物用アンカーボルトを正確な位置・姿勢で支持して断熱基礎を構築する施工方向を提供すること。  【解決手段】    両断熱材（３，４）を各天端（３ｕ，４ｕ）が水平になるように配置し、当該各天端（３ｕ，４ｕ）に位置決め部材８０を仮固定し、当該位置決め部材の両板部（８１，８５）の係止溝（８２，８５）の横挿入口（８３，８７）からアンカーボルト７０を横方向から差し入れて屈曲部（８４，８８）の凹部（８４ａ，８８ａ）へ押し付けて固定し、コンクリートを打設する。その後、位置決め部材８０を当該アンカーボルト７０から係止解除して横方向に適宜移動させて当該アンカーボルト７０から外す。【選択図】      図１
2009108594.tif 000002
【特許請求の範囲】
【請求項１】
捨てコンクリート上に所定距離離れて平行に立設される一対の断熱材から型枠を形成し、当該両断熱材は、弾性材で板状発泡樹脂製の断熱ブロックを複数個それらの端面同士をブロック接続機構を介して接続して形成されており、当該両断熱材の間のコンクリート打設空間の所定位置にはホールダウン接合金物用アンカーボルトが配設され、その後に前記コンクリート打設空間にコンクリートが打設されて構築される断熱基礎の施工方法であって、
前記コンクリート打設空間を跨いで前記両断熱材の天端に平面状に当接させて固定可能なベース板部および当該ベース板部に接合されて当該ベース板部の中央部分と上下方向に所定距離離れて対向する支持板部とからなる位置決め部材を備え、この位置決め部材の両飯給には各板部側端に開口し基礎幅方向に伸延しアンカーボルト埋め込み位置に対応する部分には凹部が形成された係止溝が設けられており、ホールダウン接合金物用アンカーボルトを当該位置決め部材の係止溝の凹部へ押し付けて固定する係止部材を備え、
コンクリート打設前に、前記両断熱材を各天端が基礎幅方向および基礎長手方向に水平になるように配設し、
その状態で、両断熱材の天端に位置決め部材のベース板部を固定し、
次に、ホールダウン接合金物用アンカーボルトを位置決め部材の係止溝の横挿入口から差し入れて屈曲部の凹部へ位置決めし、その状態でホールダウン接合金物用アンカーボルトを係止部材で当該凹部へ押し付けて固定し、
その後に、コンクリート打設空間にコンクリートを打設する断熱基礎の施工方法。
【発明の詳細な説明】
【技術分野】
【０００１】
本発明は、断熱基礎の施工方法に関する。
【背景技術】
【０００２】
建物（例えば木造建築）の鉄筋コンクリート製の基礎の所定位置には、柱のホールダウン接合金物用アンカーボルトが埋め込まれる。ここで、上記アンカーボルトは、コンクリート打設前に正確な位置に正確な姿勢（コンクリート基礎から突出した部分が鉛直になるような姿勢）で配設される必要がある。
【０００３】
このホールダウン接合金物用アンカーボルトの埋め込みに関する従来技術の一つとして、特許第３８０９６３８号「木造住宅の基礎に埋め込む柱のホールダウン接合金物用アンカーボルトの支持固定方法、及び同支持固定方法に用いるアンカー芯出しポール」がある。
【０００４】
この従来技術は、木造建築の基礎に埋め込む柱のホールダウン接合金物用アンカーボルトの径と等しい径で通常使用される立上がり布基礎の木製型枠の背よりも多少長い棒状の丸鋼であって、その下部が一定の深さの円筒型の内部空洞部とされ、その上部にネジ部を有する部材と、その部材の上部ネジ部に、使用する木製型枠の背の変化に応じて長さ不足を解消すべく円筒状で内部通孔雌ネジとした長さ調整用補助部材を取り付け、さらにその円筒状の補助部材に垂直建て入り専用のキャッチ型水準器を装着し、組合わせて一体構成として使用する構成とされている。
【特許文献１】特許第３８０９６３８号公報
【発明の開示】
【発明が解決しようとする課題】
【０００５】
ところで、上記特許文献１に係る発明の場合、アンカーボルト支持金具を木製型枠上に置き、当該金具にアンカーボルトのダミー（アンカー芯出しポール）をセットし、このポールの下端部をベース上のプラグと嵌め合わせ、その状態でアンカーボルト支持金具の位置を調整し、キャッチ型水準器で鉛直を確認した位置で当該支持金具を固定し、その後に当該金具からアンカー芯出しポールを取り外し、その代わりに本物のアンカーボルトをセットするので、手間がかかリ施工が長引きやすい。
【０００６】
ところで、最近、特開平１１−３６５８７号公報等で提案されているように、断熱材を型枠として使用するとともにコンクリート打設後も残置するという工法（断熱基礎構築方法）が次第に採用されるようになっている
【０００７】
この断熱基礎によれば、型枠（断熱材）が軽量であるので当該型枠を各天端が水平になるように配設することが容易にでき、当該断熱材の天端を基準にして上記ホールダウン接合金物用アンカーボルトを配置するようにすれば、その位置決めを正確かつ容易に行えるものと思われる。
【０００８】
本発明は、上記事情に鑑み、ホールダウン接合金物用アンカーボルトを正確な位置・姿勢で支持して迅速に構築できる断熱基礎構築方法を提供することにある。
【課題を解決するための手段】
【０００９】
請求項１の発明は、捨てコンクリート上に所定距離離れて平行に立設される一対の断熱材から型枠を形成し、当該両断熱材は、弾性材で板状発泡樹脂製の断熱ブロックを複数個それらの端面同士をブロック接続機構を介して接続して形成されており、当該両断熱材の間のコンクリート打設空間の所定位置にはホールダウン接合金物用アンカーボルトが配設され、その後に前記コンクリート打設空間にコンクリートが打設されて構築される断熱基礎の施工方法であって、前記コンクリート打設空間を跨いで前記両断熱材の天端に平面状に当接させて固定可能なベース板部および当該ベース板部に接合されて当該ベース板部の中央部分と上下方向に所定距離離れて対向する支持板部とからなる位置決め部材を備え、この位置決め部材の両飯給には各板部側端に開口し基礎幅方向に伸延しアンカーボルト埋め込み位置に対応する部分には凹部が形成された係止溝が設けられており、ホールダウン接合金物用アンカーボルトを当該位置決め部材の係止溝の凹部へ押し付けて固定する係止部材を備え、コンクリート打設前に、前記両断熱材を各天端が基礎幅方向および基礎長手方向に水平になるように配設し、その状態で、両断熱材の天端に位置決め部材のベース板部を固定し、次に、ホールダウン接合金物用アンカーボルトを位置決め部材の係止溝の横挿入口から差し入れて屈曲部の凹部へ位置決めし、その状態でホールダウン接合金物用アンカーボルトを係止部材で当該凹部へ押し付けて固定し、その後に、コンクリート打設空間にコンクリートを打設する断熱基礎の施工方法。
【００１０】
上記請求項１の発明の場合、一対の断熱材が型枠を形成するので軽量で、両断熱材を天端が基礎幅方向及び長手方向に水平としやすい。このように断熱材の天端が水平となれば、当該両天端を基準としてホールダウン接合金物用アンカーボルトの設置ができる。すなわち、従来技術のようにアンカーボルトのダミー（水準器付き）を支持金具にセットして当該ダミーが鉛直になるように支持金具の位置を調整摺る必要がなく、水平状態の断熱材の天端の所定位置に支持金具を固定してしまい、アンカーボルトを当該支持金具の係止溝の凹部に差し入れて係止部材で固定するだけで、当該断熱材の天端に対して垂直状態でアンカーボルトを支持すれば、水準器で確認する必要はなく鉛直に支持できる。  この状態で、コンクリート打設空間にコンクリートを打設すれば、アンカーボルトは正確な位置・姿勢で埋め込まれる。
【発明の効果】
【００１１】
本発明によれば、ホールダウン接合金物用アンカーボルトを正確な位置・姿勢で支持して迅速に断熱基礎を構築できる。
【発明を実施するための最良の形態】
【００１２】
以下、本発明の実施の形態を図面を参照しながら説明する。
【００１３】
本発明に係る断熱基礎の施行方法は、図１〜図３に示すように、捨てコンクリート７上に所定距離（ｗ０）離れて平行に立設される一対の断熱材（３，４）から型枠２を形成し、当該両断熱材（３，４）は、弾性材で板状発泡樹脂製の断熱ブロック（１１，２１）を複数個それらの端面同士（１２，２２）をブロック接続機構３０を介して接続して形成されており、当該両断熱材（３，４）の間の空き空間（コンクリート打設空間Ｓ）の所定位置にはホールダウン接合金物用アンカーボルト７０が配置され、その後に当該打設空間Ｓへコンクリートを打設して基礎１を構築する方法であって、コンクリートを打設する前に、外側および内側断熱材（３，４）をそれぞれの天端（３ｕ，４ｕ）が基礎幅方向（図２中矢印Ｘ方向）および基礎長手方向（図１中紙面直交方向、図７中矢印Ｙ方向）に水平になるように配置され、その状態で、位置決め部材８０のベース板部８１をコンクリート打設空間Ｓを跨いで両断熱材（３，４）の各天端（３ｕ，４ｕ）に平面状に当接させて仮固定し、この位置決め部材８０のベース板部８１と支持板部８５の両方に上下方向に整合するように形成された同形状の係止溝（８２，８６）の横挿入口（８３，８７）から当該アンカーボルト７０を差し入れて屈曲部（８４，８８）の凹部（８４ａ，８８ａ）へ当接させ、その状態で当該アンカーボルト７０を係止部材（蝶ねじ９１）で当該凹部（８４ａ，８８ａ）へ押し付けて固定し、その後に、コンクリート打設空間Ｓへコンクリートを打設し、当該打設作業が完了してコンクリートが十分に固化した後に位置決め部材８０と当該アンカーボルト７０との係止を解除するとともに当該位置決め部材８０の両断熱材（３，４）への仮止めも解除し、その状態で当該位置決め部材８０を横方向（水平方向）に適宜移動させることによって当該アンカーボルト７０を断熱基礎１から外し可能に構成されている。
【００１４】
まず、本断熱基礎１の施工方法に使用される主要な部材である位置決め部材８０を詳細に説明する。
【００１５】
位置決め部材８０は、図２〜図５に示すように、断熱基礎１の型枠２である両断熱材（３，４）の各天端（３ｕ，４ｕ）に仮止め可能な板状のベース板部８１と、このベース板部８１に上下方向に所定距離離れるように設けられた支持板部８５と、上記両板部（８１，８５）にホールダウン接合金物用アンカーボルト７０を係止するための係止部材（蝶ねじ９１）と、から構成されている。
【００１６】
詳しくは、位置決め部材８０のベース板部８１は、短冊状に形成されており、その長手方向両端部（８１ａ，８１ｂ）がコンクリート打設空間Ｓを跨いで両断熱材（３，４）の各天端（３ｕ，４ｕ）に平面状に当接できるように選定されている。詳しくは、この位置決め部材８０は、折り曲げ加工されており、その中央部分８１ｃが両端部（８１ａ，８１ｂ）よりも上方に位置するように形成されている。これは、位置決め部材８０の中央部分８１ｃに打設コンクリートが付かないようにするためである。
【００１７】
そして、図４に示すように、位置決め部材８０のベース板部８１の両端部（８１ａ，８１ｂ）のうち外側の断熱材３と当接する外側端部８１ａよりも内側の断熱材４と当接する内側端部８１ｂが低くなるように形成されている。これは、通常、内側の断熱材４の天端４ｕは外側の断熱材３の天端３ｕよりも低くなるように施工されるからで、それに合わせて上記ベース板部８１を両断熱材（３，４）の各天端（３ｕ，４ｕ）に載置・仮止めした場合に、当該位置決め部材８が水平となるようにするためである。この実施形態では、ベース板部８１の内側端部８１ｂは外側端部８１ａよりもｈ２（例えば１０ｍｍ）だけ低くなるように形成されている。なお、両断熱材（３，４）の各天端（３ｕ，４ｕ）の鉛直方向高さ位置が同一である場合には、上記ｈ２は零となる。そして、ベース板部８１の両端部（８１ａ，８１ｂ）には、長手方向に伸延する長穴８１ｈが貫通穿設されているとともに、両断熱材（３，４）の各天端（３ｕ，４ｕ）にアンカーボルト設置位置に対応して記されたライン（図示省略）に合わせるための切り欠き８１ｇが形成されている。
【００１８】
次に、位置決め部材８０の支持板部８５は、上記したベース板部８１の中央部分８１ｃに接合されて当該中央部分８１ｃと上方向に所定距離離れて対向するように形成されている。この実施形態では、位置決め部材８１の支持板部８５は、図３に示すように、両板部（８１，８５）を形成するための金属性の板状素材を折り曲げ加工して当該ベース板部８１と一体的に形成したが、当該ベース板部８１と別体のものを溶接等でベース板部８１に接合して形成してもよい。この位置決め部材８０の支持板部８５は、垂直部分８５ｖと水平部分８５ｈとからなっている。支持板部８５の水平部分８５ｈは、ベース板部８１よりも上方に所定距離（例えば３５ｍｍ）だけ離れて位置するように形成されている。
【００１９】
位置決め部材８０のベース板部８１の中央部分８１ｃおよび支持板部８５の水平部分８５ｈには、図３〜図５に示すように、同一形状で上下方向に整合する係止溝（８２，８６）が貫通穿設されている。両板部（８１，８５）の係止溝（８２，８６）は、当該板部（８１，８５）の側端（８１ｓ，８５ｓ）に開口するように形成された横挿入口（８３，８７）と、当該横挿入口（８３，８７）に連絡しているとともに当該各板部（８１，８５）の長手方向に伸延する屈曲部（８４，８８）とからなる。そして、両板部（８１，８５）の係止溝（８２，８６）の屈曲部（８４，８８）には、行き止り部分があり、当該行き止り部分には凹部（８４ａ，８８ａ）が垂直部分８５ｖから離れる方向へ突出するように形成されている。これらの両板部（８１，８５）の係止溝（８２，８６）の凹部（８４ａ，８８ａ）にホールダウン接合金物用アンカーボルト７０を当接させると、当該アンカーボルト７０は位置決め部材８０のベース板部８１に対して垂直となる。したがって、両断熱部材（３，４）の各天端（３ｕ，４ｕ）が水平となっていれば、ホールダウン接合金物用アンカーボルト７０は鉛直方向に伸延することになる。
【００２０】
また、係止部材は、上記両板部（８１，８５）の係止溝（８２，８６）の凹部（８４ａ，８８ａ）にホールダウン接合金物用アンカーボルト７０を押し付けて係止可能な部材である。この実施形態では、係止部材として蝶ねじ９１が選定されている。この蝶ねじ９１は、位置決め部材８０の支持板部８５の垂直部分８５ｖに設けられた雌ねじ部に螺合して、両板部（８１，８５）のの凹部（８４ａ，８８ａ）にホールダウン接合金物用アンカーボルト７０を押し付け係止させることができる。
【００２１】
次に、本断熱基礎の施行方法を詳細に説明する。
（１） 捨てコンクリート７上に型枠２となる一対の断熱材（３，４）を所定距離隔てて垂直に立設する。
【００２２】
（ａ）外側および内側の断熱材（３，４）は、図７に示すように、それぞれ弾性材で板状発泡樹脂製の断熱ブロック（１１,２１）を複数個それらの端面（１２,２２）同士をブロック接続機構３０を介して接続して形成されている。各断熱ブロック（１１,２１）は、切削性等が優れており加工がしやすいので、形状管理および寸法管理を正確に行える。すなわち、各断熱ブロック（１１,２１）は、断熱基礎の直線部を形成するためのストレート状ブロックと、コーナー部を形成するためのアングル状ブロックからなっている。図６に、ストレート状ブロック（１１,２１）の形状を示す。ここで、各ブロック（１１,２１）は、隣接する面同士は直角に、そして対向する面同士は平行になるように形成されている。図６でいえば、底面ｂと側面（ｃ又はｄ）、上面〔天端（３ｕ又は４ｕ）〕と側面（ｃ又はｄ），底面ｂと端部１２および上面〔天端（３ｕ又は４ｕ）〕と端部１２はそれぞれ直角に、端面１２同士、側面（ｃ，ｄ）同士、底面ｂと上面〔天端（３ｕ又は４ｕ）〕はそれぞれ平行になるように形成されている。
【００２３】
（ｂ）捨てコンクリート７上に、図１および図７に示すように、支持レール３１を介して外側断熱材３を立設する。支持レール３１は、横断面コの字状に形成されており、上向きに開口部を向けるように配設されている。一方、内側断熱材４は、捨てコンクリート７上に複数個の差し棒５１を介して捨てコンクリート７から浮かして立設する。ここで、外側断熱材３では、捨てコンクリート７の不陸を支持レール３１で吸収して捨てコンクリート７上に正確に垂直に立設している。同様に、内側断熱材４では、捨てコンクリート７の不陸を複数個の差し棒５１を高さ調節することによって吸収して正確に垂直に立設している。なお、この内側断熱材４の立設の仕方は,後の（ｃ）で詳しく述べる。さらに、両断熱材（３,４）をセパレータ６２で結んで、当該両者（３,４）間の幅を一定に保っている。これによって、各断熱材（３,４）は構造強度が増し、一段と垂直状態を維持できる。
【００２４】
上記（ａ）（ｂ）および下記（ｃ）を実行することによって、両断熱材（３,４）を捨てコンクリート７上に正確に垂直に立設して、それぞれの天端（３ｕ,４ｕ）を水平になるように配置できる。なお、この際、外側断熱材３の天端３ｕに一端が仮固定されるとともに他端が当該外側断熱材３より外方に所定距離離れた地面の部位に打ち込まれた傾斜棒（図示省略）で、当該外側熱材３（およびセパレータ６２を介して内側断熱材４）が垂直状態を保持するのを補助してもよい。この際、外側断熱材３の天端３ｕに金属製のキャップ（図示省略）を被せて、当該キャップに傾斜棒６５の一端を釘等の固定部材で仮固定してもよい。こうすることによって傾斜棒を一段と確実に外側断熱材３に仮固定することができる。
【００２５】
（ｃ）内側断熱材４は、基礎のコンクリートの立ち上がり部と内方の土間コンクリートとを一緒に形成するために、捨てコンクリート７から浮かして配設するが、当該内側断熱材４を形成する各断熱ブロック２１をブロック接続機構３０を用いて接続するとともに当該各断熱ブロック２１の高さ位置を調整して、当該各断熱ブロック２１の天端同士が基礎長手方向（図７に示す矢印Ｙ方向）に高さ位置が揃いかつ水平となるようにしている。
【００２６】
ここで、ブロック接続機構３０は、各断熱ブロック２１に固定された複数個の接続板（４１−１，４１−２，４１−３）と、差し棒５１と、当該差し棒５１を受ける受け部１１１とから形成されている。なお、外側断熱材３も複数個の断熱ブロック１１を接続して形成されているが、図１９に示すように、当該各ブロック１１に上記ブロック２１と同様に複数個の接続板（４１−１，４１−２，４１−３）を装着させ、複数個の差し棒５１で接続して形成している。ただし、外側断熱材３の配設には、受け部１１１は使わない。また、差し棒５１の長さは断熱ブロック１１の高さ寸法に合わせて決められており（すなわち、差込み動作完了したときに天端３ｕよりも低くなるように選定されており）、雄ねじ部は無くてもよい。
【００２７】
詳しくは、上記各断熱ブロック２１には、図８に示すように、上下方向に離隔して複数個の接続板（最上段の接続板４１−１,中断の接続板４１−２,下段の接続板４１−３）が固定されている。そして、各断熱ブロック２１の複数個の接続板（４１−１,４１−２,４１−３）は接続される相手方の断熱ブロック２１の対応する複数個の接続板（４１−１,４１−２,４１−３）と互いの端部４２が重なるように配設されている。そして、各断熱ブロック２１の複数個の接続板（４１−１,４１−２,４１−３）の両端部４２には、それぞれが同一直径（ｄ）で上下方向に並ぶように貫通穴４４が形成されている。
【００２８】
また、差し棒５１は、上記した各接続板（４１−１,４１−２,４１−３）の貫通穴４４と同一直径でかつ当該各貫通穴４４内に挿入された状態で軸線方向に移動可能な保持部分５２および当該保持部分５２から離れるに従って直径が小さくなるテーパー状の先端部（楔部分５３）を有している。なお、図９等で、５５は差し棒５１の先端である。さらに、差し棒５１の保持部分５２の上方の部位に、接続すべき両断熱ブロック（２１,２１）の密着状態は維持した状態で最上位の接続板４１−１の貫通穴４４と係合して当該両断熱ブロック（２１,２１）を支持可能かつ当該差し棒５１が軸線回りに回動された場合には当該両断熱ブロック（２１,２１）の高さ位置を変更可能な雄ねじ部１０１を形成するとともに、当該差し棒５１の上端部（レンチ係合部１０２）は当該雄ねじ部１０１が最上位の接続板４１−１の貫通穴４４と螺合した状態では当該両断熱ブロック（２１,２１）の上端面より低い位置となるように決定されている。
【００２９】
また、受け部１１１は、図１８に示すように、捨てコンクリート７の上面の内側断熱材４設置部分に配設されており、上記差し棒５１の先端部（楔部分５３）を受け入れて縦軸線を中心とした回転を許しつつ支持可能に形成されている。
【００３０】
さらに、上記したブロック接続機構３０では、各断熱ブロック２１の複数個の接続板（４１−１,４１−２,４１−３）の貫通穴４４は、図１１に示すように、それぞれの中心が当該各断熱ブロック２１の端面２２よりも当該ブロックの弾性変形可能な長さ範囲内の所定長さＤだけ引っ込んでいる。なお、図１１中、２４は断熱ブロック２１の端面２２に形成された凹部である。また、図１２に示すように、接続すべき両断熱ブロック（２１,２１）の端面（２２,２２）同士が接近された場合には相手側の貫通穴４４と一部が重なり合って共通の開口部分を形成し、かつ、当該両断熱ブロック（２１,２１）の最上位の接続板４１−１の貫通穴４４の共通開口部分から差し棒５１の楔部分５３が挿入されて上記複数個の接続板（４１−１,４１−２,４１−３）の貫通穴４４と当該差し棒５１の保持部分５３とが係合すると、図１６に示すように、当該両断熱ブロック（２１,２１）がそれぞれの端面（２２,２２）同士が互いに弾性力で押し合って密着するような位置になるように形成されている。
【００３１】
上記したようなブロック接続機構３０を用いれば、２つの断熱ブロック（２１,２１）を接合する場合には、図１０にしめすように、作業者が当該両断熱ブロック（２１,２１）を手で持って移動させて、それらの端面（２２,２２）同士を接近させる。すると、図１２および図１４に示すように、両断熱ブロック（２１,２１）に固定された複数個の接続板（４１−１,４１−２,４１−３）の端部４２はそれぞれ上下方向に重なり合って、それぞれの貫通穴４４も一部が重なり合って共通する開口部分が形成される。その状態で、図１５に示すように、差し棒５１を両断熱ブロック（２１,２１）の最上位の接続板４１−１の貫通穴４４の共通する開口部分から下方の接続板（４１−２，４１−３）の貫通穴４４の共通開口部分へ向けて挿入して、当該差し棒５１の保持部分５２を当該複数個の接続板（４１−２，４１−３）の貫通穴４４の共通開口部分と係合すると、当該複数個の接続板（４１−１,４１−２,４１−３）〔したがって両断熱ブロック〕はそれぞれの貫通穴４４が整合する位置まで移動する。その結果、図１６に示すように、両断熱ブロック（２１,２１）の端面（２２，２２）は、それぞれの弾性力で互いに押し合って密着する。すなわち、両断熱ブロック（２１,２１）は、互いの端面（２２，２２）を密着（所定の締まり代を持って当接）して確実に接続される。
【００３２】
したがって、その状態で、図１８に示すように、差し棒５１の先端部（５３）を捨てコンクリート７上の受け部１１１に挿入すれば、両断熱ブロック（２１,２１）は互いの端面（２２，２２）を密着した状態（すなわち接続された状態）で差し棒５１によって支持されて、当該捨てコンクリート７から浮いた状態で支持されることになる。ここで、上記両断熱ブロック（２１,２１）の捨てコンクリート７からの高さを調節するには、上記差し棒５１と上記両案熱ブロック（２１,２１）とを相対移動させながら当該差し棒５１を縦軸線を中心として回転させて、図１７に示すように、雄ねじ部１０１を上記最上位の接続板４１−１の貫通穴４４と係合させる。この差し棒５１の回転量を増減することによって、上記両断熱ブロック（２１,２１）の高さを変えられる。このようにして、両断熱ブロック（２１,２１）の高さ位置を調節して、それらの上端面を同一水平位置に揃えることができる。なお、差し棒５１の上端部（１０２）は当該接続した両断熱ブロック（２１,２１）の上端面よりも低い位置にくるので、面倒な後処理（墨だし作業、釘打ち作業および内側断熱部材の一部カット作業）を行なう必要がない。
【００３３】
こうして、捨てコンクリート７上に、型枠２となる両断熱材（３，４）がそれぞれの天端（３ｕ，４ｕ）が水平になるように配置されたところで、図１および図２に示すように、当該各天端（３ｕ，４ｕ）のホールダウン接合金物用アンカーボルト設置用ラインが記された位置に上記した位置決め部材８０をベース板部８１の位置合わせ用切り欠き８１ｇが合致するように載置する。そして、位置決め部材８０を釘等を用いて両断熱材（３，４）の各天端（３ｕ，４ｕ）に仮固定する。これによって、位置決め部材８０は、両断熱部材（３，４）の天端（３ｕ，４ｕ）上に水平に仮固定されたことになる。
【００３４】
次に、ホールダウン接合金物用アンカーボルト７０を立てた姿勢で位置決め部材８０の両板部〈８１，８５〉の係止溝（８２，８６）の横挿入口（８３，８７）を目掛けて移動させて、当該係止溝（８２，８６）内に差し入れる（図３〜図５参照）。続けてアンカーボルト７０を係止溝（８２，８６）の屈曲部（８４，８８）内を進ませて凹部（８４ａ，８８ａ）へ当接するまで横方向に適宜移動させる。そして、アンカーボルト７０を係止溝（８２，８６）の凹部（８４ａ，８８ａ）に当接させた状態で蝶ねじ９１を使って当該アンカーボルト７０を強く当該凹部（８４ａ，８８ａ）へ押しつける。これにより、ホールダウン接合金物用アンカーボルト７０は位置決め部材８０に上方部分が所定長さだけ突出しかつ下方部分がコンクリート打設空間ＳＳに入った状態で垂直に係止される。ここで、位置決め部材８０は水平に配置された両断熱材（３，４）の各天端（３ｕ，４ｕ）に仮固定されているので、ホールダウン接合金物用アンカーボルト７０は鉛直方向に伸延してコンクリート打設空間Ｓ内に所定距離だけ入り込み、かつ、当該空間Ｓから所定長さだけ突出するようにセットされる。
【００３５】
この状態で、コンクリート打設空間Ｓにコンクリートを打設する。そして、打設作業が完了してコンクリートが十分に固化した後（したがって、ホールダウン接合金物用アンカーボルト７０がコンクリート立ち上がり部分に固定された後）に、蝶ねじ９１を緩めて位置決め部材８０と当該アンカーボルト７０との固定を解除するとともに当該位置決め部材８０の両断熱材（３，４）への仮止めも解除する。そして、位置決め部材８０を横方向に適宜移動させることによってアンカーボルト７０から外す。
【図面の簡単な説明】
【００３６】
【図１】本発明に係る断熱基礎の施工方法を説明するための図である。
【図２】位置決め部材の配設方法を形成する仕方を説明するための図である。
【図３】位置決め部材を示す斜視図である。
【図４】位置決め部材を示す正面図である。
【図５】位置決め部材を示す平面図である。
【図６】断熱ブロックの形状を説明するための図である。
【図７】各断熱ブロックの接続を説明するための平面図である。
【図８】内側断熱材を形成する断熱ブロックに固定された複数個の接続板を説明するための縦断面図である。
【図９】差し棒を説明するための図である。
【図１０】内側断熱材形成用断熱ブロックの接続方法を説明するための縦断面図である。
【図１１】内側断熱材形成用断熱ブロックの接続方法を説明するための平面図である。
【図１２】内側断熱材形成用断熱ブロックの接続方法を説明するための平面図である。
【図１３】内側断熱材形成用断熱ブロックの接続方法を説明するための図である。
【図１４】内側断熱材形成用断熱ブロックの接続方法を説明するための図である。
【図１５】内側断熱材形成用断熱ブロックの接続方法を説明するための図である。
【図１６】両内側断熱材形成用断熱ブロックを差し棒によって接続固定した状態を示す図である。
【図１７】内側断熱材形成用の断熱ブロックの高さ調節を説明するための図である。
【図１８】内側断熱材形成用の断熱ブロックの高さ調節後の状態を示す図である。
【図１９】外断熱材形成用の断熱ブロックを示す図である。
【符号の説明】
【００３７】
１    断熱基礎
２    型枠
３    外側断熱材
４    内側断熱材
７    捨てコンクリート
１１    断熱ブロック
２１    断熱ブロック
４１−１    最上段の接続板
４１−２    中段の接続板
４１−３    下段の接続板
４２    各段の接続板の端部
４４    貫通穴  
５１    差し棒
５２    保持部分
５３    楔部分
６２    セパレータ
７０    ホールダウン接合金物用アンカーボルト
８０    位置決め部材
８１    ベース板部
８２    係止溝
８３    横挿入口
８４    屈曲部
８４ａ  凹部
８５    支持板部
８６    係止溝
８７    横挿入口
８８    屈曲部
８８ａ  凹部
９１    蝶ねじ（係止部材）
１０１  雄ねじ部
１１１  受け部
Ｓ      コンクリート打設空間
【図１】
2009108594.tif 000003
【図２】
2009108594.tif 000004
【図３】
2009108594.tif 000005
【図４】
2009108594.tif 000006
【図５】
2009108594.tif 000007
【図６】
2009108594.tif 000008
【図７】
2009108594.tif 000009
【図８】
2009108594.tif 000010
【図９】
2009108594.tif 000011
【図１０】
2009108594.tif 000012
【図１１】
2009108594.tif 000013
【図１２】
2009108594.tif 000014
【図１３】
2009108594.tif 000015
【図１４】
2009108594.tif 000016
【図１５】
2009108594.tif 000017
【図１６】
2009108594.tif 000018
【図１７】
2009108594.tif 000019
【図１８】
2009108594.tif 000020
【図１９】
2009108594.tif 000021